(57)【要約】      （修正有）【課題】多方向に揺動する運動器具を提供する。【解決手段】運動器具は、その端部に接続された揺動ユニットがついたメインフレームを有し、伝達ユニットがメインフレームの他端部に接続されている。伝達ユニットは、自身に接続された偏心部材を有する。連結ユニットは軸回転可能に揺動ユニットに接続され、シートユニットは連結ユニットに接続されている。連結ユニットは延長リンクを有し、延長リンクは偏心部材に軸回転可能に接続される。ユーザが伝達ユニットに接続されたペダルを踏み込むと、偏心部材、連結ユニットおよび揺動ユニットが起動され、シートユニットが多方向に動く。【選択図】図２
0003142056.tif 000002
【実用新案登録請求の範囲】
【請求項１】
メインフレーム（１０）で、その一端部に接続された揺動ユニット（２０）と他端部に接続され自身に連結された偏心部材（４０）を有する伝達ユニット（３０）とを有する前記メインフレーム（１０）と、
連結ユニット（５０）で、その上部（５１）が前記連結ユニット（５０）の頂部から延び、シートユニット（６０）がその上部に接続され、その基部（５２）は前記連結ユニット（５０）の下側に接続され、前記揺動ユニット（２０）と軸回転可能に接続された一端部を有し、基部（５２）の他端部は前記偏心部材（４０）と軸回転可能に接続された前記連結ユニット（５０）と、からなる運動器具であって、
前記伝達ユニット（３０）は前記偏心部材（４０）、前記連結ユニット（５０）及び前記揺動ユニット（２０）を駆動して前記シートユニット（６０）を多方向に動かす運動器具。
【請求項２】
前記伝達ユニット（３０）は回転軸（３２）によって接続された２個のクランク（３１）を有し、ベルト歯車（３３）及び前記偏心部材（４０）が前記回転軸（３２）に取り付けられ、イニシャルホイール（３４）が前記メインフレーム（１０）に接続され、中心シャフトが前記イニシャルホイール（３４）側から延び、ベルト（３５）が前記中心シャフトと前記ベルト歯車（３３）間を接続し、テンション歯車（３６）が前記メインフレーム（１０）と接続されベルト（３５）の張り具合を調節することを特徴とする請求項１記載の運動器具。
【請求項３】
前記偏心部材（４０）は間に接続されたリンク（４２）がついた２枚のプレート（４１）を有し、前記リンク（４２）の両端部は前記２枚のプレート（４１）の各反対側の両端部間に接続され、前記２枚のプレート（４１）の各反対側の他の両端部は、前記回転軸（３２）と前記２個のクランク（３１）のうちの一個とそれぞれ接続されることを特徴とする請求項１記載の運動器具。
【請求項４】
前記シートユニット（６０）は前記連結ユニット（５０）の接続チューブである上部に挿入されるシートポストを有し、ピン（５１１）が上部の壁を貫通して延び、前記シートポストに区切られた位置決め穴（６２）のうちの一個に挿入されることを特徴とする請求項１記載の運動器具。
【請求項５】
前記連結ユニット（５０）の基部（５２）は、２個の別個のロッド（３８）を有し、２個のピボット穴（５２１）が前記２個の別個のロッド（３８）によりそれぞれ区切られ、前記揺動ユニット（２０）の横棒（２２）は２個のピボット穴（５２１）と軸回転可能に係合され、前記連結ユニット（５０）の前記２個の別個のロッド（３８）のうちの一個はそれに接続された延長リンク（５３）を有し、前記延長リンク（５３）は接続穴（５３１）を有しそれを貫通して前記偏心部材（４０）の前記リンクが延びることを特徴とする請求項３記載の運動器具。
【請求項６】
メインフレーム（１０）で、一端部に接続されその頂部に２本の傾斜した平行ロッド接続された揺動ユニット（２０）と、前記メインフレーム（１０）の他端部に接続された伝達ユニット（３０）と前記伝達ユニット（３０）に接続された偏心部材（４０）とを有する前記メインフレーム（１０）と、
連結ユニット（５０）で、２個の平行リンクを有しシートユニット（６０）と接続される上部と、前記連結ユニット（５０）の下側に接続され前記揺動ユニット（２０）と軸回転可能に接続された一端部を有する基部（５２）とを持ち、前記基部（５２）の他端部は前記偏心部材（４０）と軸回転可能に接続され、前記シートユニット（６０）はシートポストと前記２個の平行リンクと係合するシートポスト（６１）の２個の端部上に位置するローラーユニット（６７）を持ち、ローラー（６６１）がシートポストの下側に接続され、２本の傾斜した平行ロッド間に係合される前記連結ユニット（５０）、からなる運動器具。
【請求項７】
前記伝達ユニット（３０）はギアセットを有することを特徴とする請求項６記載の運動器具。
【請求項８】
前記偏心部材（４０）はボード（４３）を有し孔（４３１）が前記ボード（４３）の端部によって区切られ、前記伝達ユニット（３０）は前記ボード（４３）内の孔（４３１）と係合される出力軸（３７）を持ちピボットチューブ（４３２）が前記ボード（４３）の他端部から延び前記連結ユニット（５０）の基部（５２）に軸回転可能に接続されていることを特徴とする請求項６記載の運動器具。
【請求項９】
前記ローラーユニット（６７）は２個の上部ローラー（６７１）と２個の下部ローラー（６７２）を有し、前記２個の上部ローラーと前記２個の下部ローラーは前記連結ユニット（５０）の前記２本の平行リンク上をロールすることを特徴とする請求項６記載の運動器具。
【考案の詳細な説明】
【技術分野】
【０００１】
本考案は、運動器具に関し、更に詳しくは、多方向に揺動する運動器具に関する。
【背景技術】
【０００２】
サーフィンシミュレーション運動器具のような従来の揺動運動器具は、通常、ホイール付きベースを有し、それに偏心シャフトが接続されている。リンクは、そのシャフトに接続された一方端を有し、リンクの他端部はボードに接続されたフレームに接続され、ユーザはボードに立ちバランスを保ちながら、サーフィンのポーズをシミュレートする。２本のアームがフレームに接続されており、歯車が回転するとリンクが起動され、ボードが上下に動くようにフレームがアームによって規制される。歯車はサーボモータにより駆動することができる。しかしながら、従来の揺動運動器具は、ある程度その揺動運動器具を使用して飽きてきたユーザに十分な運動機能を与えることができない。
【考案の開示】
【考案が解決しようとする課題】
【０００３】
本考案は、ユーザが本考案の運動器具を用いた時に、興味を持ち、バランスを保ちながら運動できるように、多方向に揺動する運動器具を提供しようとするものである。
【課題を解決するための手段】
【０００４】
本考案は運動器具に関し、メインフレームの両端部にそれぞれ接続された揺動ユニットと伝達ユニットを備えたメインフレームからなる。伝達ユニットは自身に接続された偏心部材を有し、２個のクランク（３１）と連結ユニットに接続される。連結ユニットは上部を有し、シートユニットと接続される。基部は連結ユニットの下側に接続され、その一端部は揺動ユニットと軸回転可能に接続され、基部の他端部は偏心部材と軸回転可能に接続される。伝達ユニットは偏心部材、連結ユニット及び揺動ユニットを駆動しシートユニットを多方向に動かす。
【０００５】
本考案は、本考案に係わる好適な実施例を示す添付の図面を参照すれば、以下の説明によりより明確になるであろう。ただし、添付の図面は、単に図解をのみを目的とするものである。
【実施例】
【０００６】
図１〜５を参照すると、本考案の運動器具はメインフレーム１０からなり、その両端部に床に置けるようにするための２個の脚部を有する。メインフレーム１０の両端部に揺動ユニット２０と伝達ユニット３０がそれぞれ接続されている。２個の枢軸１１がメインフレーム１０の両側から延び、揺動ユニット２０はその一端部に２個の通路２１を有し、揺動ユニット２０の他端部に横棒２２を有する。２個の枢軸１１は、２個の通路２１と係合されている。
【０００７】
伝達ユニット３０は、回転軸３２を持つベルト歯車３３を有し、２個のクランク３１が回転軸３２に接続されている。ベルト歯車３３と偏心部材４０がそれぞれ回転軸３２に取り付けられている。細長のボードが、その一端部を回転軸３２に接続され、他端部をイニシャルホイール３４に接続されている。中心シャフト３４１がイニシャルホイール３４の側方から延び、ベルト３５が中心シャフト３４１とベルト歯車３３の間に掛けまわされている。ベルト３５の張り具合を調節するために、テンション歯車３６がメインフレーム１０に接続されている。
【０００８】
偏心部材４０は、２個のプレート４１を有し、その間にリンク４２が接続されている。リンク４２の両端部は、２個のプレート４１の対向する両端部に接続され、２個のプレート４１の反対側の両端部は、回転軸３２と両側のクランク３１のうちの１個とそれぞれ接続されている。
【０００９】
連結ユニット５０はその頂部から延びる上部５１を有し、シートユニット６０がその上部５１に接続されている。基部５２は、連結ユニット５０の下側に接続されており、１端部が揺動ユニット２０と軸回転可能に接続され、基部５２の他端部は、偏心部材４０と軸回転可能に接続されている。連結ユニット５０の基部５２は２個の別個のロッドを有し、２個のピボット穴５２１が２個の別個のロッドによりそれぞれ区切られている。揺動ユニット２０の横棒２２が２個のピボット穴５２１と軸回転可能に係合されている。連結ユニット５０の２個の別個のロッドのうち１個には接続穴５３１を有する延長リンク５３が接続され、それを貫通して偏心部材４０のリンク４２が延びている。
【００１０】
シートユニット６０はシートポスト６１を有し、シートポスト６１は連結ユニット５０の接続チューブである上部５１に挿入される。ピン５１１が上部５１の壁を貫通して延び、シートポスト６１に区切られた位置決め穴６２の１つに挿入され、シートユニット６０のシート６０の高さを調節する。更にシートユニット６０は２個のハンドル６４を有し、２個のハンドル６４の間にコントロールパネル６５が接続されている。コントロールパネル６５は電気的にテンション歯車３６に接続され、ベルト３５の張り具合を制御する。
【００１１】
ユーザがシート６３にすわり、２個のクランク３１のペダルを踏み込むと伝達ユニット３０が起動され、偏心部材４０、連結ユニット５０及び揺動ユニット２０を起動し、シートユニット６０を多方向に動かす。シートユニット６０の移動経路は揺動ユニット２０と延長リンク５３の長さにより決まる。
【００１２】
図６〜８は本考案に係る運動器具の他の実施例を示す。メインフレーム１０は、その一端部に接続された揺動ユニット２０有し、２個の傾斜しかつ平行なロッド３８がメインフレーム１０の上部に接続されている。伝達ユニット３０がメインフレーム１０の他端部に接続され、偏心部材４０が伝達ユニット３０に接続されている。
【００１３】
連結ユニット５０は上部５１を有し、上部５１はシートユニット６０と接続される２本の平行なリンク５１２を有する。基部５２は、連結ユニット５０の下側に接続され、揺動ユニット２０に軸回転可能に接続された一方端部を有し、基部５２の他端部は偏心部材４０と軸回転可能に接続されている。シートユニット６０はシートポスト６６を有し、ローラーユニット６７がシートポスト６６の両端部に位置し、２個の平行リンク５１２と係合される。ローラー６６１は、シートポスト６６の下側に接続され、２本の傾斜した平行ロッド３８の間に係合される。ローラーユニット６７は、２個の上部ローラー６７１と２個の下部ローラー６７２を有し、２個の上部ローラー６７１と２個の下部ローラー６７２は連結ユニット５０の２個の平行なリンク５１２上でロールする。
【００１４】
偏心部材４０はボード４３を有し、孔４３１はボード４３の端部により区切られている。伝達ユニット３０は出力軸３７を有し、出力軸３７はボード４３の孔４３１と係合される。ピボットチューブ４３２はボード４３の他端部から延び、連結ユニット５０の基部５２と軸回転可能に接続される。
【００１５】
伝達ユニット３０が起動されると、シートユニット６０は第１の実施例と同様に動き、傾斜した平行ロッド３８とローラー６６１のガイドにより、シートユニット６０は更に傾斜して前後に動く。
【００１６】
図９は、本考案の図６に示す運動器具の更に他の実施例を示し、伝達ユニット３０は複数のギアを持つギアセットを有する。
【００１７】
以上、本考案に係る実施の形態を例示し説明したが、当業者には、本考案の範囲を逸脱することなく他の実施の態様がありうることは明らかであろう。
【図面の簡単な説明】
【００１８】
【図１】本考案の運動器具を示す分解図である。
【図２】本考案の運動器具を示す斜視図である。
【図３】本考案の運動器具を示す、別の角度から見た斜視図である。
【図４】本考案の運動器具を示す側面図である。
【図５】シートユニットの運動を示す図である。
【図６】本考案の運動器具の他の実施例を示す分解図である。
【図７】本考案の図6の運動器具を示す斜視図である。
【図８】本考案の図6の運動器具を示す側面図である。
【図９】本考案の図6の運動器具のさらに別の実施例である。
【符号の説明】
【００１９】
１０：メインフレーム
２０：揺動ユニット
２１：通路
２２：横棒
３０：伝達ユニット
３１：クランク
３２：回転軸
３３：ベルト歯車
３４：イニシャルホイール
３４１：中心シャフト
３５：ベルト
３６：テンション歯車
３７：出力軸
３８：ロッド
４０：偏心部材
４１：プレート
４２：リンク
４３：ボード
４３１：孔
４３２：ピボットチューブ
５０：連結ユニット
５１：上部
５１１：ピン
５１２：平行なリンク
５２：基部
５２１：ピボット穴
５３：延長リンク
５３１：接続穴
６０：シートユニット
６１：シートポスト
６２：位置決め穴
６３：シート
６４：ハンドル
６５：コントロールパネル
６６：シートポスト
６６１：ローラー
６７：ローラーユニット
６７１：上部ローラー
６７２：下部ローラー
【図１】
0003142056.tif 000003
【図２】
0003142056.tif 000004
【図３】
0003142056.tif 000005
【図４】
0003142056.tif 000006
【図５】
0003142056.tif 000007
【図６】
0003142056.tif 000008
【図７】
0003142056.tif 000009
【図８】
0003142056.tif 000010
【図９】
0003142056.tif 000011
【手続補正書】
【提出日】平成20年3月25日(2008.3.25)
【手続補正１】
【補正対象書類名】実用新案登録請求の範囲
【補正対象項目名】請求項１
【補正方法】変更
【補正の内容】
【請求項１】
メインフレーム（１０）で、その一端部に接続された揺動ユニット（２０）と他端部に接続され自身に連結された偏心部材（４０）を有する伝達ユニット（３０）とを有する前記メインフレーム（１０）と、
連結ユニット（５０）で、上部（５１）が前記連結ユニット（５０）の頂部から延び、シートユニット（６０）が前記上部（５１）に接続され、基部（５２）は前記連結ユニット（５０）の下側に接続され、前記揺動ユニット（２０）と軸回転可能に接続された一端部を有し、前記基部（５２）の他端部は前記偏心部材（４０）と軸回転可能に接続された前記連結ユニット（５０）と、からなる運動器具であって、
前記伝達ユニット（３０）は前記偏心部材（４０）、前記連結ユニット（５０）及び前記揺動ユニット（２０）を駆動して前記シートユニット（６０）を多方向に動かす運動器具。